(57)【特許請求の範囲】
【請求項１】
車両又は内燃機関の排ガスを測定して車両又は内燃機関の試験をするためのものであるとともに、異なる動作モードに切り替えて動作可能なものであって、
前記排ガスを測定するために用いられる複数の排ガス測定用デバイスと、前記複数の排ガス測置用デバイスが着脱可能とされるとともに通信可能に接続されて該排ガス測定用デバイスを管理するデバイス管理装置とを具備し、
前記排ガス測定用デバイスが、該排ガス測定用デバイスの構成部品の稼働時間を累積する累積稼働時間算出部と、該累積稼働時間算出部が算出した累積稼働時間を記憶する累積稼働時間記憶部とを有し、
前記デバイス管理装置が、前記構成部品の指定と、該指定した構成部品における稼働時間を累積すべき所定の動作モードの指定とを受け付ける受付部を有し、
前記累積稼働時間算出部が、前記指定された所定の動作モードにおいてのみ、該構成部品の稼働時間を累積するものである試験システム。
【請求項２】
前記デバイス管理装置が、前記累積稼働時間が構成部品のライフタイムに達すると本警告を発生し、前記累積稼働時間が前記ライフタイムに対し所定時間内にまで近づくと前警告を発生する警告発生部をさらに具備したものである請求項１記載の試験システム。
【請求項３】
前記受付部が、前記ライフタイム及び／又は前記所定期間の設定を受け付けることを特徴とする請求項２記載の試験システム。
【請求項４】
前記排ガス測定用デバイスが、前記各種動作モードを制御する制御部を有し、
前記各種動作モードが、少なくとも測定モード、校正モード及びパージモードを含む請求項１乃至３の何れか一項に記載の試験システム。
【請求項５】
前記各種動作モードが、さらに、内蔵ＰＣが通電状態になっているエラプスモード、測定に直ちに入れる状態であるスタンバイモードを含む請求項４記載の試験システム。
【請求項６】
前記デバイス管理装置が、ディスプレイ上に累積稼働時間をリセットするためのリセットボタンを表示するものであり、当該リセットボタンが操作されたことを示す信号を受け付けたときに、前記累積稼働時間をリセットするものである請求項１乃至５の何れか一項に記載の試験システム。
【請求項７】
車両又は内燃機関の排ガスを測定して車両又は内燃機関の試験をするためのものであるとともに、異なる動作モードに切り替えて動作可能なものであって、
前記排ガスを測定するために用いられる１又は複数の排ガス測定用デバイスと、前記排ガス測置用デバイスに通信可能に接続されて該排ガス測定用デバイスを管理するデバイス管理装置とを具備し、
前記排ガス測定用デバイスが、該排ガス測定用デバイスの構成部品の稼働時間を累積する累積稼働時間算出部と、該累積稼働時間算出部が算出した累積稼働時間を記憶する累積稼働時間記憶部とを有し、
前記デバイス管理装置が、前記構成部品の指定と、該指定した構成部品における稼働時間を累積すべき所定の動作モードの指定とを受け付ける受付部を有し、
前記累積稼働時間算出部が、前記指定された所定の動作モードにおいてのみ、該構成部品の稼働時間を累積するものであり、
前記デバイス管理装置が、ディスプレイ上に動作モード指定領域及び警告期間指定領域を有する設定画面を表示するものであり、
前記動作モード指定領域は、前記排ガス測定用デバイスがどの動作モードになったときに、当該構成部品の稼働時間を累積するかどうかを指定できるように構成されており、
前記警告期間指定領域は、累積稼働時間が前記構成部品のライフタイムに対し予め定めた警告期間を変更入力できるように構成されている試験システム。
【発明の詳細な説明】
【技術分野】
【０００１】
この発明は、車両、船舶、飛行機等の移動体そのものの他、移動体に用いられる内燃機関等の構成機器を試験するための試験システムに関するものである。
【背景技術】
【０００２】
従来、例えば自動車の試験システムとして、１台の測定管理装置に複数台の測定装置（測定用デバイス）を接続して、この管理装置に一括して測定装置を管理させるようにしたものが知られている（例えば、特許文献１参照）。
【先行技術文献】
【特許文献】
【０００３】
【特許文献１】特開２００５−４９３５３号公報
【発明の概要】
【発明が解決しようとする課題】
【０００４】
ところで、前記測定用デバイスは、例えば、内蔵ＰＣが通電状態になっているエラプスドモード、測定に直ちに入れる状態であるスタンバイモード、測定モード、校正モード、パージモード、測定＋パージモードなど様々な動作モードで動作する。これに対して、前記測定用デバイスには、バルブ、ポンプ、センサ、ヒータなど様々な構成部品が内蔵されている。そのため、測定用デバイスの動作モードによっては、実際に稼働している構成部品もあれば、実際に稼働していない構成部品も存在する。従って、構成部品が実際に稼働していない動作モードであっても、一律に構成部品の稼働期間を累積した場合、構成部品の稼働期間を正確に累積できないという問題がある。
【０００５】
本発明は、かかる課題に鑑みてなされたものであって、構成部品毎の稼働期間の累積を従来よりも極めて正確に行うことができることをその主たる所期課題としたものである。
【課題を解決するための手段】
【０００６】
すなわち、本発明に係る試験システムは、車両、船舶、飛行機等の移動体又は該移動体に用いられる機器を対象物として、該対象物の試験をするためのものであるとともに、異なる動作モードに切り替えて動作可能なものであって、構成部品の稼働時間を累積算出する累積稼働時間算出部を具備してなり、該累積稼働時間算出部が、構成部品毎に設定された所定の動作モードにおいてのみ、該構成部品の稼働時間を累積するものである。
【０００７】
このようなものであれば、構成部品毎に設定された所定の動作モードにおいてのみ、構成部品毎の稼働時間を累積することで、構成部品毎の稼働期間の累積を従来よりも極めて正確に行うことができる。
【０００８】
具体的な実施態様としては、前記試験に用いられる１又は複数の試験用デバイスと、前記試験用デバイスに通信可能に接続されて該試験用デバイスを管理するデバイス管理装置とを具備し、前記累積稼働時間算出部が、前記試験用デバイスの構成部品の稼働時間を累積するものであって、前記デバイス管理装置が、前記構成部品の指定と、該指定した構成部品における前記所定の動作モードの指定とを受け付ける受付部を具備していることが好ましい。
【０００９】
試験用デバイスをどのようなデバイス管理装置に接続しても、該デバイス管理装置が、試験用デバイスの稼働時間を正確に累積するには、前記累積稼働時間算出部を前記デバイス管理装置に設けるとともに、前記累積稼働時間算出部が算出した累積稼働時間を記憶する累積稼働時間記憶部を試験用デバイスに設けていることが好ましい。
【００１０】
二段階で警告を発生させて、使い勝手を良くするには、前記デバイス管理装置が、前記累積稼働時間が構成部品のライフタイムに達すると本警告を発生し、前記累積稼働時間が前記ライフタイムに対し所定時間内にまで近づくと前警告を発生する警告発生部をさらに具備したものであることが好ましい。
ライフタイム及び／又は所定期間を設定可能とするには、前記ライフタイム及び／又は前記所定期間の指定を受け付ける受付部を具備していることが好ましい。
【００１１】
具体的な実施態様としては、前記試験用デバイスが、前記対象物の状態量を測定する測定用デバイスであることが望ましく、より具体的には、前記測定用デバイスが、内燃機関の排気経路に設けられて該排気経路を流れる排ガスを測定するものを挙げることができる。
【発明の効果】
【００１２】
このように構成した本発明によれば、構成部品毎に設定された所定の動作モードにおいてのみ、構成部品毎の稼働時間を累積することで、構成部品毎の稼働期間の累積を従来よりも極めて正確に行うことができる。
【図面の簡単な説明】
【００１３】
【図１】本発明の一実施形態に係る車両性能試験システムの模式的構成図である。
【図２】同実施形態の測定用デバイス及びデバイス管理装置の機能ブロック図である。
【図３】同実施形態の警告画面の一例を示す画面構成図である。
【図４】同実施形態の指定画面の一例を示す画面構成図である。
【発明を実施するための形態】
【００１４】
以下に本発明の一実施形態について図面を参照して説明する。
【００１５】
図１は、本実施形態に係る車両性能試験システム１の全体を模式的に示したものである。この車両性能試験システム１は、同図に示すように、シャシダイナモメータ（図示しない）、自動運転装置（図示しない）、試験自動管理装置６、複数の排ガス測定用デバイス４、デバイス管理装置７等とを備えているもので、前記シャシダイナモメータ上で車両ＶＨを擬似走行状態にし、その車両ＶＨの燃費、排ガス成分等を測定して車両性能を試験することができる。なお、エンジン単体での試験も可能である。各部を説明する。
【００１６】
試験自動管理装置６は、詳細な説明は省くが、走行試験のスケジュールを設定するという基本機能を有したものである。かかるスケジュール設定がオペレータにより行われると、試験自動管理装置６は、そのレギュレーションにしたがったコマンドを前記シャシダイナモメータ、自動運転装置、デバイス管理装置７等に送信し、レギュレーション通りの試験が自動的に行われるようにそれらを制御する。
【００１７】
なお、図１では、１つの試験自動管理装置６に１つのデバイス管理装置７が接続されているが、複数のデバイス管理装置７が接続されていても良い。試験自動管理装置６は各デバイス管理装置７ごとに独立してスケジューリングできる。
【００１８】
排ガス測定用デバイス４（以下、測定用デバイス４とも言う。）とは、単位機器であるガス分析ユニットを１以上集合させて構成した、排ガス成分を測定するものの他、例えば定容量サンプリング装置のように、排ガス成分を測定する前処理を行うようなものも含まれる。
【００１９】
この実施形態では、測定用デバイス４として複数種類を用いている。例えば、測定原理の異なる複数のガス分析ユニットを内蔵した第１測定用デバイス４、定容量サンプリング装置たる第２測定用デバイス４、ＥＧＲ率測定装置たる第３測定用デバイス４、超音波流量計たる第４測定用デバイス４等である。前記ガス分析ユニットとは、例えば、ＴＨＣを測定するためのＦＩＤであるとか、ＮＯｘを測定するためのＣＬＤであるとか、ＣＯ２を測定するためのＮＤＩＲ等のことである。
【００２０】
この測定用デバイス４は、例えば、内燃機関の吸排気経路の所定箇所からサンプリングしたガスに係るＨＣ、ＮＯＸ、ＣＯ、ＣＯ２等の各成分量を測定するが、その測定値からエンジンや触媒など、車両ＶＨを構成する機器の性能値、例えば燃費、ＥＧＲ率などを算出することもできる。
そのために、各測定用デバイス４は、図２に示すように、ローカルコンピュータを内蔵している。
【００２１】
このローカルコンピュータは、物理的には、ＣＰＵ、メモリ、Ａ／Ｄコンバータ、通信インタフェースなどを備えたものであり、前記メモリに記憶させたプログラムに従ってＣＰＵ及びその周辺機器が協働することにより、排ガスの所定成分を検出するセンサ４ａからの出力値に補正や校正を施して前記各成分濃度を示す測定値を算出するとともに、その測定値から前記機器性能値を算出する演算部４１や、該演算部４１によって算出された測定値や機器性能値等を所定のプロトコルでデバイス管理装置７に送信する通信部４２等としての機能を発揮する。
【００２２】
また、このローカルコンピュータは、デバイス管理装置７からの指令信号を受信してバルブＶや温調機構４ｂ、ポンプ４ｃなどをコントロールし、当該排ガス測定用デバイス４の各種動作モード（エラプスドモード、スタンバイモード、測定モード、校正モード、パージモード等）を制御する制御部４３や、センサ４ａの校正を行う校正部４４、あるいは、該測定用デバイス４の過去から現在に亘るデバイス状態情報等を逐次取得して蓄積する、メモリの所定領域に設けたローカル蓄積部（累積稼働時間記憶部）４５、累積稼働時間算出部４６、警告発生部４７等をさらに具備している。
【００２３】
デバイス管理装置７は、例えば汎用のコンピュータに所定のプログラムをインストールして構成されたもので、物理的には、ＣＰＵ、メモリ、ディスプレイ、入力手段（キーボードやマウス等）、通信インタフェース等を備えている。そして、前記メモリに記憶させたプログラムに従ってＣＰＵ及びその周辺機器が協働することにより、このデバイス管理装置７は、図２に示すように、表示部７２、受付部７３、管理部本体７４、通信部７５等としての機能を発揮する。このデバイス管理装置７には、通信ポートが設けられていて、前記測定用デバイス４は、有線又は無線によって、デバイス管理装置７に相互通信可能に接続される。
【００２４】
次に、デバイス管理装置７の各部の説明を兼ねて、その動作を説明する。
まず、オペレータは、測定用デバイス４に係る種々の作業（配管など）をしたうえで、デバイス管理装置７に測定用デバイス４をコネクターケーブルで物理的に接続する。
この状態から、オペレータの適宜操作によって、図３に示すような警告画面８をウィンドウ表示させることができる。
【００２５】
この警告画面８では、測定用デバイス４を構成する各部品の名称がリストにしてに表示されている。このリストの各行には、部品の名称欄に加えて、当該部品の寿命表示欄「Life Time」、当該部品の現在までの累積稼働時間を表示する累積稼働時間欄「Working Time」、当該部品が前記寿命に到達するまでの残期間を示す残期間表示欄「Status」が設けられている。
【００２６】
なお、この残期間表示欄は、後述する警告表示も兼ねている。具体的には、前記警告発生部４７の動作によって、前記累積稼働時間が構成部品のライフタイムに達すると赤色の本警告が表示される。また、累積稼働時間が前記ライフタイムに対し予め定めた予備警告期間内にまで近づくとオレンジ色の前警告が表示される。このように本実施形態では、２段階での警告表示が行われる。
また、前記警告画面中、「Reset」ボタン８２は、例えば各部品のメンテナンス完了後に操作して、累積稼働時間をリセットするためのものである。
【００２７】
一方、この警告画面８のリストには、各行毎に（つまり各部品毎に）、詳細設定ボタンである「Detail」ボタン８３が設けられている。このDetailボタン８３をクリックすると、当該部品の寿命や累積稼働時間に係る種々の設定を行うための設定画面９がウィンドウ表示される。
具体的に、この設定画面９には、例えば図４に示すように、動作モード指定領域９１及び警告期間指定領域９２とが設けられている。
【００２８】
この動作モード指定領域９１は、この測定用デバイス４がどの動作モードになったときに、当該部品の稼働時間を累積するかどうかを指定するためのいくつかの欄が設けられている。具体的には、前記動作モードを指定するためのモード指定欄９９、その指定を確定するための確定ボタン１００及び確定を解除するための解除ボタン１０１である。
【００２９】
例えば、この構成部品が、スタンバイモードと測定モードとにおいてのみ稼働するような場合であれば、オペレータは、モード指定欄９９にスタンバイモードを選択表示させた状態で確定ボタン１００をクリックするとともに、モード指定欄９９に測定モードを選択表示させた状態で確定ボタン１００をクリックしておき、その他のモードについては、モード指定欄９９にそれぞれ表示させる都度、解除ボタン１０１をクリックすればよい。そして、確定ボタン１００をクリックすることで、稼働条件情報、つまり、スタンバイモードと測定モードのときのみに時間を積算するという情報が、構成部品ＩＤに関連づけて、測定用デバイス４のローカル蓄積部４５に記憶される。
【００３０】
この稼働条件情報を累積稼働時間算出部４６がローカル蓄積部４５から取得し、その稼働条件情報に示された動作モードでのみ、図示しないタイマーによる時計を進めて、当該構成部品の稼働時間を累積する。この累積稼働時間は、逐次、ローカル蓄積部４５に書き込まれる。なお、測定用デバイス４に前記タイマーであるHour Meterを取り付けておき、累積稼働時間算出部４６は、前記動作モードでのみ、そのHour Meterを動かして、その出力から累積稼働時間を計測してもよい。
なお、構成部品としては、例えば消耗部品であるポンプ、ＣＬＤ計でＮＯｘを測定する際に用いられるオゾンジェネレータ、フィルタ等が挙げられる。
【００３１】
一方、前記警告期間指定領域９２には、前記予備警告期間を表示するための表示欄１０２や、警告表示を有効／無効にするための各ボタン１０３，１０４や、前記予備警告期間をデフォルト値に設定可能なデフォルトボタン１０５が設けられており、オペレータによる変更入力によって変更可能となっている。確定操作すると、これらの値は、構成部品ＩＤに関連付けてローカル蓄積部４５に記憶される。
【００３２】
以上のように構成した本実施形態によれば、構成部品毎に設定された所定の動作モードにおいてのみ、測定用デバイス４の構成部品毎の稼働時間を累積することで、該構成部品の稼働期間の累積を従来よりも極めて正確に行うことができる。
【００３３】
また、前記累積稼働時間算出部４６で算出された累積稼働時間をローカル蓄積部４５に記憶することで、測定用デバイス４をどのようなデバイス管理装置に接続しても、該デバイス管理装置が、測定用デバイス４の稼働時間を正確に累積することができる。
また、前記警告発生部４７が警告画面８に２段階での警告表示を行うことで、使い勝手を良くすることができる。
【００３４】
また、前記デバイス管理装置７が、前記ライフタイム及び／又は前記所定期間の指定を受け付ける受付部７３を具備していることで、オペレータが、ライフタイム又は所定期間を柔軟に設定できる。
【００３５】
以上、本発明の実施形態について図面に基づいて説明したが、具体的な構成は、これらの実施形態に限定されるものではない。本発明の範囲は、上記した実施形態の説明ではなく特許請求の範囲によって示され、さらに特許請求の範囲と均等の意味および範囲内でのすべての変更が含まれる。
例えば、エンジン単体での試験にも適用できるし、飛行機や船舶、あるいはその機器などの試験にも用いることができる。
【００３６】
上記実施形態では、試験自動管理装置６が、レギュレーションにしたがったコマンドをシャシダイナモメータ、自動運転装置、デバイス管理装置７等に送信し、スケジュール通りの試験が自動的に行われるようにそれらを制御する例について述べたが、本発明はこれに限定されるものではない。例えば、デバイス管理装置７が、レギュレーションにしたがったコマンドを各測定用デバイス４に送信してもよく、また例えば、測定用デバイス４に内蔵されたローカルコンピュータが、レギュレーションにしたがったコマンドを別の測定用デバイス４に送信してもよい。
【００３７】
上記実施形態では、デバイス管理装置７のディスプレイ７ａに指定画面９を表示する例について述べたが、本発明はこれに限定されるものではない。例えば、試験自動管理装置６のディスプレイに指定画面９を表示してもよい。
【００３８】
上記実施形態では、デバイス管理装置７のディスプレイ７ａに警告画面８を表示する例について述べたが、本発明はこれに限定されるものではない。例えば、試験自動管理装置６のディスプレイに警告画面８を表示してもよく、また例えば、各測定用デバイス４に点滅ランプ等を設けて、該ランプの点滅によって、オペレータにおいて認識可能な警告を発生させてもよい。
【００３９】
上記実施形態では、累積稼働時間記憶部を、測定用デバイス４側に設ける例について述べたが、本発明はこれに限定されるものではない。例えば、累積稼働時間記憶部を、デバイス管理装置７側に設けてもよい。ただし、この場合には、デバイス管理装置７側で測定用デバイス４を識別可能なように、累積稼働時間を測定用デバイス４の識別ＩＤと関連づけて累積稼働時間記憶部に記憶させておく必要がある。
【符号の説明】
【００４０】
１  ・・・車両性能試験システム（試験システム）
４  ・・・測定用デバイス（試験用デバイス）
７  ・・・デバイス管理装置
４５  ・・・ローカル蓄積部（累積稼働時間記憶部）
７１  ・・・累積稼働時間算出部
７３  ・・・受付部
７４  ・・・警告発生部
ＶＨ・・・車両（移動体）
【図１】
0005931588.tif 000002
【図２】
0005931588.tif 000003
【図３】
0005931588.tif 000004
【図４】
0005931588.tif 000005